(57)【要約】【課題】監視すべきＯＳに対応するソフトウェアを用いずに、ＯＳの起動を監視することである。【解決手段】  情報処理装置は、処理部、制御部、監視部を備える。処理部は、ＯＳを実行する。制御部は、処理部に接続されるＩ／Ｏデバイスの制御を行い、Ｉ／Ｏデバイスに係る管理情報を処理部から取得する。監視部は、制御部が取得した管理情報に基づいて、ＯＳの起動状態を監視する。【選択図】図1
2015122030.tif 000002
【特許請求の範囲】
【請求項１】
ＯＳ（Ｏｐｅｒａｔｉｏｎ  Ｓｙｓｔｅｍ）を実行する処理部と、
前記処理部に接続されるＩ／Ｏデバイスの制御を行い、前記Ｉ／Ｏデバイスに係る管理情報を前記処理部から取得する制御部と、
前記制御部が取得した管理情報に基づいて、前記ＯＳの起動状態を監視する監視部と、を備える
ことを特徴とする情報処理装置。
【請求項２】
前記監視部は、
前記管理情報に、前記処理部中のＲＡＩＤドライバの管理情報が格納されており、更に、前記処理部に接続されるＨＤＤ（Ｈａｒｄ  Ｄｉｓｋ  Ｄｒｉｖｅ）の全てが使用可能であることを示す情報が格納されている場合に、ＯＳの起動状態の監視を停止する
ことを特徴とする請求項１に記載の情報処理装置。
【請求項３】
前記監視部は、
前記管理情報に、前記処理部にＬＡＮドライバの初期設定が完了していることを示す情報が格納されており、前記処理部がＬＡＮケーブルの接続を認識している状態であることを示す情報が格納されている場合に、ＯＳの起動状態の監視を停止する
ことを特徴とする請求項１に記載の情報処理装置。
【請求項４】
ＯＳ（Ｏｐｅｒａｔｉｏｎ  Ｓｙｓｔｅｍ）を実行する処理部から、
前記処理部に接続されるＩ／Ｏデバイスに係る管理情報を取得し、
取得した前記管理情報に基づいて、前記ＯＳの起動状態を監視する
処理をプロセッサに実行させる監視プログラム。
【請求項５】
前記管理情報に、前記処理部中のＲＡＩＤドライバの管理情報が格納されており、更に、前記処理部に接続されるＨＤＤ（Ｈａｒｄ  Ｄｉｓｋ  Ｄｒｉｖｅ）の全てが使用可能であることを示す情報が格納されている場合に、ＯＳの起動状態の監視を停止する
処理をプロセッサに実行させる請求項４に記載の監視プログラム。
【請求項６】
前記管理情報に、前記処理部にＬＡＮドライバの初期設定が完了していることを示す情報が格納されており、前記処理部がＬＡＮケーブルの接続を認識している状態であることを示す情報が格納されている場合に、ＯＳの起動状態の監視を停止する
処理をプロセッサに実行させる請求項４に記載の監視プログラム。
【請求項７】
ＯＳ（Ｏｐｅｒａｔｉｏｎ  Ｓｙｓｔｅｍ）を実行する処理部から、
前記処理部に接続されるＩ／Ｏデバイスに係る管理情報を取得し、
取得した前記管理情報に基づいて、前記ＯＳの起動状態を監視する
ことを特徴とする監視方法。
【請求項８】
前記管理情報に、前記処理部中のＲＡＩＤドライバの管理情報が格納されており、更に、前記処理部に接続されるＨＤＤ（Ｈａｒｄ  Ｄｉｓｋ  Ｄｒｉｖｅ）の全てが使用可能であることを示す情報が格納されている場合に、ＯＳの起動状態の監視を停止する
ことを特徴とする請求項７に記載の監視方法。
【請求項９】
前記管理情報に、前記処理部にＬＡＮドライバの初期設定が完了していることを示す情報が格納されており、前記処理部がＬＡＮケーブルの接続を認識している状態であることを示す情報が格納されている場合に、ＯＳの起動状態の監視を停止する
ことを特徴とする請求項７に記載の監視方法。
【発明の詳細な説明】
【技術分野】
【０００１】
この発明は、ＯＳ（Ｏｐｅｒａｔｉｎｇ  Ｓｙｓｔｅｍ）の監視に関する。
【背景技術】
【０００２】
サーバ装置は、搭載するハードウェアの管理及び監視をするファームウェアを実装している。ファームウェアは、例えば、ＢＭＣ（Ｂａｓｅｂｏａｒｄ  Ｍａｎａｇｅｍｅｎｔ  Ｃｏｎｔｒｏｌｌｅｒ）である。また、サーバ装置は、インストールされているソフトウェアの管理及び監視をするエージェントを実装している。エージェントは、ＯＳが起動後に動作するソフトウェアである。
【０００３】
ＯＳの起動時に、ＢＭＣとエージェントは、連携してＯＳの監視処理を行う。サーバ装置は、電源が起動されると、ＯＳの起動を開始する。ＢＭＣは、ＯＳの起動処理に併せて、ＢｏｏｔＷａｔｃｈｄｏｇの処理を開始する。ＢｏｏｔＷａｔｃｈｄｏｇは、ＯＳの起動を監視し、ＯＳのブートハングを防止する機能である。ＢｏｏｔＷａｔｃｈｄｏｇは、例えば、ＢｏｏｔＷａｔｃｈｄｏｇ起動後、所定の時間が経過してもＯＳの起動が完了しない場合に、サーバ装置を再起動又はサーバ装置の停止などの処理を行う。エージェントは、ＯＳの起動が完了すると、ＢＭＣに対してＢｏｏｔＷａｔｃｈｄｏｇの機能を停止する命令を出す。エージェントは、ＯＳの起動処理中に併せて起動される。そのため、エージェントは、ＯＳが起動したかどうかの判定を、エージェント自身が起動したかどうかで判定する。ＯＳが起動しない場合、ユーザの業務に直接影響があるため、サーバ装置のＯＳの起動の監視は重要なものである。
【０００４】
ＯＳの監視に関する技術として、ＰＣＩ（Ｐｅｒｉｐｈｅｒａｌ  Ｃｏｍｐｏｎｅｎｔ  Ｉｎｔｅｒｃｏｎｎｅｃｔ）バス閉塞状態をＢＭＣが監視し、障害がある場合に、ＯＳを介さずにＰＣＩのリカバリ処理を行う技術が知られている。（例えば、特許文献１参照）
【先行技術文献】
【特許文献】
【０００５】
【特許文献１】特開２０１１−１２８７９５号公報
【発明の概要】
【発明が解決しようとする課題】
【０００６】
上述した背景技術では以下のような問題がある。
ＯＳが起動したかどうかの判定を行うエージェントは、サポート可能なＯＳに限りがある。そのため、上述の方法でＯＳの起動を監視するためには、ＯＳに対応するエージェントを予めサーバ装置にインストールする。すなわち、上述の方法は、利便性について改善の余地がある。
【０００７】
１つの側面において、本発明の目的は、監視すべきＯＳに対応するソフトウェアを用いずに、ＯＳの起動を監視することである。
【課題を解決するための手段】
【０００８】
情報処理装置は、処理部、制御部、監視部を備える。処理部は、ＯＳを実行する。制御部は、処理部に接続されるＩ／Ｏデバイスの制御を行い、Ｉ／Ｏデバイスに係る管理情報を処理部から取得する。監視部は、制御部が取得した管理情報に基づいて、ＯＳの起動状態を監視する。
【発明の効果】
【０００９】
ＯＳの起動を監視できる。
【図面の簡単な説明】
【００１０】
【図１】第１の実施形態に係るサーバ装置のＯＳの起動監視の処理を説明する図である。
【図２】サーバ装置のハードウェア構成の例を示す。
【図３】第２の実施形態に係るサーバ装置のＯＳの起動監視の処理を説明する図である。
【図４】第３の実施形態に係るサーバ装置のＯＳの起動監視の処理を説明する図である。
【図５】第４の実施形態に係るサーバ装置のＯＳの起動監視の処理を説明する図である。
【図６】第１の実施形態に係るサーバ装置のＯＳの起動監視の処理を説明するフローチャートである。
【図７】第２の実施形態に係るサーバ装置のＯＳの起動監視の処理を説明するフローチャートである。
【図８】第３の実施形態に係るサーバ装置のＯＳの起動監視の処理を説明するフローチャートである。
【図９】第４の実施形態に係るサーバ装置のＯＳの起動監視の処理を説明するフローチャートである。
【発明を実施するための形態】
【００１１】
以下、本実施形態について、図面を参照しながら詳細に説明する。
図１は、第１の実施形態に係るサーバ装置のＯＳの起動監視の処理を説明する図である。サーバ装置１００が搭載するマザーボードは、ＢＭＣ１１１、ＰＣＩコントローラ１１２、ＣＰＵ／メモリ１２０を備える。メモリ１２０は、ＯＳ１２１、ＢＩＯＳ１２２などを格納している。ＣＰＵは、ＯＳ１２１、ＢＩＯＳ１２２などを実行する処理部である。ＯＳ１２１には、Ｉ／Ｏドライバ１３１がインストールされている。Ｉ／Ｏドライバ１３１は、例えば、サーバ装置１００に搭載された各種デバイスをＯＳ１２１に認識させる処理を行う。更に、Ｉ／Ｏドライバ１３１は、Ｉ／Ｏドライバ１３１に接続されたＩ／Ｏデバイスの入出力を制御する。Ｉ／Ｏドライバ１３１は、サーバ装置１００に搭載された各種デバイスの管理情報を有する。ＢＩＯＳ１２２は、サーバ装置１００の電源が投入されると、サーバ装置１００に搭載された各種デバイスの初期設定などを行う。ＢＭＣ１１１は、サーバ装置が搭載する各種デバイスの管理及び監視をするファームウェアである。ＢＭＣ１１１は、管理部又は監視部として動作する。ＰＣＩコントローラ１１２は、Ｉ／Ｏドライバ１３１に接続されており、サーバ装置１００に搭載された各種デバイスのＩ／Ｏの制御を行う。また、ＰＣＩコントローラ１１２は、Ｉ／Ｏドライバ１３１からサーバ装置１００に搭載された各種デバイスの管理情報を取得する。ＰＣＩコントローラ１１２は、制御部として動作する。ＰＣＩコントローラ１１２は、例えば、ＰＣＩインターフェースを用いて、Ｉ／Ｏドライバ１３１と接続される。また、ＰＣＩコントローラ１１２は、例えば、Ｉ２Ｃインターフェースを用いて、ＢＭＣ１１１と接続される。
【００１２】
以下に、本実施形態に係る情報処理装置のＯＳの起動監視の処理の例を順番に説明する。
（１）サーバ装置の電源が投入されると、ＢＩＯＳ１２２は、処理を開始する。
（２）ＢＩＯＳ１２２は、サーバ装置１００に搭載された各種デバイスの初期設定などの処理が完了すると、ＢＭＣ１１１にＢｏｏｔＷａｔｃｈｄｏｇの起動指示を通知し、処理をＯＳ１２１に渡す。
（３）ＯＳ１２１は、起動を開始する。
（４）ＢＭＣ１１１は、ＢｏｏｔＷａｔｃｈｄｏｇ起動後、所定の時間が経過しているかを判定する。
（５）ＢＭＣ１１１は、ＢｏｏｔＷａｔｃｈｄｏｇ起動後、所定の時間が経過してもＯＳの起動が完了しない場合に、サーバ装置を再起動又はサーバ装置の停止などの処理を行う。
（６）ＢＭＣ１１１は、所定の時間が経過していない場合、ＰＣＩコントローラ１１２からサーバ装置１００に搭載された各種デバイスの管理情報を取得する。
（７）ＢＭＣ１１１は、ＯＳ１２１が起動しているかを判定する。ＢＭＣ１１１は、サーバ装置１００に搭載された各種デバイスの管理情報を用いて、Ｉ／Ｏドライバ１３１が、各種デバイスを認識している場合、ＯＳ１２１が起動していると判定する。
（８）Ｉ／Ｏドライバ１３１が、各種デバイスを認識していない場合、ＢＭＣ１１１は、ＯＳ１２１が起動していないと判定する。ＢＭＣ１１１は、ＯＳ１２１が起動していないと判定した場合、（４）から処理を繰り返す。
（９）ＢＭＣ１１１は、ＯＳ１２１が起動していると判定した場合、ＢｏｏｔＷａｔｃｈｄｏｇを停止し、ＯＳの起動監視の処理を終了する。
【００１３】
サーバ装置は、（５）の処理でサーバ装置を再起動した場合、処理を（１）から繰り返す。サーバ装置は、（５）の処理でサーバ装置を停止した場合、処理を終了する。
【００１４】
（１）〜（９）の処理を行うことで、サーバ装置は、エージェントを備えないシステムであっても、ＯＳの起動が完了したことを判定することができる。サーバ装置は、各種デバイスをＩ／Ｏドライバが認識することで、ＯＳの起動を確認する。
【００１５】
図２は、サーバ装置のハードウェア構成の例を示す。サーバ装置は、プロセッサ１１、メモリ１２、バス１５、外部記憶装置１６、ネットワーク接続装置１９を備える。さらにオプションとして、サーバ装置は、入力装置１３、出力装置１４、媒体駆動装置１７を備えても良い。サーバ装置は、例えば、コンピュータなどで実現されることがある。
【００１６】
プロセッサ１１は、Ｃｅｎｔｒａｌ  Ｐｒｏｃｅｓｓｉｎｇ  Ｕｎｉｔ（ＣＰＵ）を含む任意の処理回路とすることができる。プロセッサ１１は、Ｉ／Ｏドライバ１３１、ＰＣＩコントローラ１１２、ＢＭＣ１１１として動作する。また、ＰＣＩコントローラ１１２、ＢＭＣ１１１は、チップ内にＣＰＵを備え、処理をチップ内のＣＰＵで処理してもよい。なお、プロセッサ１１は、例えば、外部記憶装置１６に記憶されたプログラムを実行することができる。メモリ１２は、記憶部として動作する。さらに、メモリ１２は、プロセッサ１１の動作により得られたデータや、プロセッサ１１の処理に用いられるデータも、適宜、記憶する。ネットワーク接続装置１９は、他の装置との通信に使用され動作する。
【００１７】
入力装置１３は、例えば、ボタン、キーボード、マウス等として実現され、出力装置１４は、ディスプレイなどとして実現される。バス１５は、プロセッサ１１、メモリ１２、入力装置１３、出力装置１４、外部記憶装置１６、媒体駆動装置１７、ネットワーク接続装置１９の間を相互にデータの受け渡しが行えるように接続する。外部記憶装置１６は、プログラムやデータなどを格納し、格納している情報を、適宜、プロセッサ１１などに提供する。媒体駆動装置１７は、メモリ１２や外部記憶装置１６のデータを可搬記憶媒体１８に出力することができ、また、可搬記憶媒体１８からプログラムやデータ等を読み出すことができる。ここで、可搬記憶媒体１８は、フロッピイディスク、Ｍａｇｎｅｔ-Ｏｐｔｉｃａｌ（ＭＯ）ディスク、Ｃｏｍｐａｃｔ  Ｄｉｓｃ  Ｒｅｃｏｒｄａｂｌｅ（ＣＤ−Ｒ）やＤｉｇｉｔａｌ  Ｖｅｒｓａｔｉｌｅ  Ｄｉｓｃ  Ｒｅｃｏｒｄａｂｌｅ（ＤＶＤ−Ｒ）を含む、持ち運びが可能な任意の記憶媒体とすることができる。
【００１８】
図３は、第２の実施形態に係るサーバ装置のＯＳの起動監視の処理を説明する図である。図３は、図１と同じものには、同じ番号を振っている。第２の実施形態に係るサーバ装置１００は、Ｉ／ＯドライバであるＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）ドライバ２０１を有する。サーバ装置１００は、ＰＣＩコントローラであるＲＡＩＤコントローラ２０２を有する。ＲＡＩＤドライバ２０１は、ＯＳ起動中に、管理情報に更新があると、更新内容をＲＡＩＤコントローラ２０２に通知する。第２の実施形態に係るサーバ装置のＯＳの起動監視の処理は、（１）〜（９）と同じである。
【００１９】
ＢＭＣ１１１は、管理情報をＲＡＩＤコントローラ２０２から取得し、ＯＳ１２１が起動しているかを判定する。第２の実施形態に係る管理情報は、ドライバ情報及びＨＤＤ（Ｈａｒｄ  Ｄｉｓｋ  Ｄｒｉｖｅ）のステータス情報である。ＢＭＣ１１１は、管理情報に、ドライバ情報にドライバのバージョン情報が格納されており、ＨＤＤのステータス情報に全てのＨＤＤが使用可能であることを示す情報が格納されている場合に、ＯＳ１２１が起動していると判定する。ドライバのバージョン情報は、ＯＳの起動中にＲＡＩＤドライバ２０１からＲＡＩＤコントローラ２０２に通知される。一方、ＲＡＩＤコントローラ２０２は、サーバ装置１００の電源がきられる際に、ドライバのバージョン情報をクリアする。ＨＤＤのステータス情報は、ＯＳの起動中に、ＨＤＤを管理するファームウェアからＲＡＩＤコントローラ２０２に通知される。一方、ＲＡＩＤコントローラ２０２は、サーバ装置１００の電源がきられる際に、ＨＤＤのステータス情報をクリアする。なお、管理情報は、バージョン情報、ＨＤＤのステータス情報に限定されない。
【００２０】
図４は、第３の実施形態に係るサーバ装置のＯＳの起動監視の処理を説明する図である。図４は、図１と同じものには、同じ番号を振っている。第３の実施形態に係るサーバ装置１００は、Ｉ／ＯドライバであるＬＡＮ（Ｌｏｃａｌ  Ａｒｅａ  Ｎｅｔｗｏｒｋ）ドライバ３０１を有する。サーバ装置１００は、ＰＣＩコントローラであるＬＡＮコントローラ３０２を有する。ＬＡＮドライバ３０１は、ＯＳ起動中に、管理情報に更新があると、更新内容をＬＡＮコントローラ３０２に通知する。第３の実施形態に係るサーバ装置のＯＳの起動監視の処理は、（１）〜（９）と同じである。
【００２１】
ＢＭＣ１１１は、管理情報をＬＡＮコントローラ３０２から取得し、ＯＳ１２１が起動しているかを判定する。第３の実施形態に係るＬＡＮコントローラ３０２の管理情報は、ＬＡＮドライバの状態情報及びＬＡＮのＬｉｎｋステータス情報を有する。ＢＭＣ１１１は、ＬＡＮドライバの状態情報としてＬＡＮドライバがロードされている状態を示す情報、かつ、Ｌｉｎｋステータス情報がＬｉｎｋアップを示す情報が管理情報に格納されている場合に、ＯＳ１２１が起動していると判定する。ＬＡＮドライバの状態情報は、ＢＩＯＳがドライバの初期設定を完了したロード状態及びＢＩＯＳのドライバの初期設定が完了していないアンロード状態がある。Ｌｉｎｋステータス情報は、ＬＡＮドライバがＬＡＮケーブルの接続を認識しているＬｉｎｋアップと、ＬＡＮドライバがＬＡＮケーブルの接続を認識していないＬｉｎｋダウンがある。
【００２２】
第３の実施形態に係る管理情報は、ＬＡＮドライバ３０１からＬＡＮコントローラ３０２に更新情報が通知されることで更新される。ＢＩＯＳがドライバの初期設定を完了すると、ＬＡＮドライバ３０１は、ＬＡＮドライバの状態情報として、ロード状態であることを示す情報を、ＬＡＮコントローラ３０２に通知する。一方、サーバ装置１００の電源がきられる際に、ＬＡＮドライバ３０１は、ＬＡＮドライバの状態情報として、アンロード状態であることを示す情報を、ＬＡＮコントローラ３０２に通知する。ＬＡＮドライバ３０１は、ＯＳの起動時に、ＬＡＮケーブルとの接続を認識すると、Ｌｉｎｋステータス情報としてＬｉｎｋアップを示す情報を、ＬＡＮコントローラ３０２に通知する。一方、サーバ装置１００の電源が切られる際に、ＬＡＮドライバ３０１は、ＬＡＮケーブルを認識していないＬｉｎｋダウンを示す情報を、ＬＡＮコントローラ３０２に通知する。なお、管理情報は、ＬＡＮドライバの状態情報及びＬＡＮのＬｉｎｋステータス情報に限定されるものではない。
【００２３】
図５は、第４の実施形態に係るサーバ装置のＯＳの起動監視の処理を説明する図である。図５は、図１、図３、図４と同じものには、同じ番号を振っている。第４の実施形態に係るサーバ装置１００は、Ｉ／Ｏドライバとして、ＲＡＩＤドライバ２０１と、ＬＡＮドライバ３０１を有する。サーバ装置１００は、ＲＡＩＤドライバ２０１に対応するＰＣＩコントローラとして、ＲＡＩＤコントローラ２０２を有する。サーバ装置１００は、ＬＡＮドライバ３０１に対応するＰＣＩコントローラとして、ＬＡＮコントローラ３０２を有する。第４の実施形態に係るサーバ装置のＯＳの起動監視の処理は、（１）〜（９）と同じである。
【００２４】
ＢＭＣ１１１は、管理情報をＲＡＩＤコントローラ２０２及びＬＡＮコントローラ３０２から取得し、ＯＳ１２１が起動しているかを判定する。ＢＭＣ１１１は、ＲＡＩＤコントローラ２０２から、ドライバ情報及びＨＤＤのステータス情報を有する管理情報を取得する。ＢＭＣ１１１は、ＬＡＮコントローラ３０２から、ＬＡＮドライバの状態情報及びＬＡＮのＬｉｎｋステータス情報を有する管理情報を取得する。
【００２５】
ＢＭＣ１１１は、取得した管理情報に、以下の情報が格納されている場合に、ＯＳ１２１が起動していると判定する。
ドライバ情報として、ドライバのバージョン情報が格納されている。
ＨＤＤのステータス情報に、全てのＨＤＤが使用可能であることを示す情報が格納されている。
ＬＡＮドライバの状態情報として、ＬＡＮドライバがロードされている状態を示す情報が格納されている。
Ｌｉｎｋステータス情報が、Ｌｉｎｋアップを示す情報が格納されている。
【００２６】
図６は、第１の実施形態に係るサーバ装置のＯＳの起動監視の処理を説明するフローチャートである。サーバ装置の電源が投入される（ステップＳ１０１）。ＢＭＣ１１１は、ＢＩＯＳ１２２よりＢｏｏｔＷａｔｃｈｄｏｇの起動指示を受信し、ＢｏｏｔＷａｔｃｈｄｏｇを起動する（ステップＳ１０２）。ＢＭＣ１１１は、ＢｏｏｔＷａｔｃｈｄｏｇ起動後、所定の時間が経過しているかを判定する（ステップＳ１０３）。ＢＭＣ１１１は、所定の時間が経過していない場合、ＰＣＩコントローラ１１２からサーバ装置１００に搭載された各種デバイスの管理情報を取得する（ステップＳ１０４、ステップＳ１０３でＮＯ）。ＢＭＣ１１１は、ＯＳ１２１が起動しているかを判定する（ステップＳ１０５）。ＢＭＣ１１１は、ＯＳ１２１が起動していると判定した場合、ＢｏｏｔＷａｔｃｈｄｏｇを停止する（ステップＳ１０６、ステップＳ１０５でＹＥＳ）。ＢＭＣ１１１は、ステップＳ１０６の処理が終了すると、ＯＳの起動監視の処理を終了する。ＢＭＣ１１１は、ＯＳ１２１が起動していない場合、処理をＳ１０３から繰り返す（ステップＳ１０５でＮＯ）。ＢＭＣ１１１は、ＢｏｏｔＷａｔｃｈｄｏｇ起動後、所定の時間が経過してもＯＳの起動が完了しない場合に、サーバ装置を再起動又はサーバ装置の停止などの処理を行う（ステップＳ１０７、ステップＳ１０３でＹＥＳ）。ＢＭＣ１１１は、ステップＳ１０７の処理が終了すると、ＯＳの起動監視の処理を終了する。
【００２７】
図７は、第２の実施形態に係るサーバ装置のＯＳの起動監視の処理を説明するフローチャートである。サーバ装置の電源が投入される（ステップＳ２０１）。ＢＭＣ１１１は、ＢＩＯＳ１２２よりＢｏｏｔＷａｔｃｈｄｏｇの起動指示を受信し、ＢｏｏｔＷａｔｃｈｄｏｇを起動する（ステップＳ２０２）。ＢＭＣ１１１は、ＢｏｏｔＷａｔｃｈｄｏｇ起動後、所定の時間が経過しているかを判定する（ステップＳ２０３）。ＢＭＣ１１１は、所定の時間が経過していない場合、ＲＡＩＤコントローラ２０２からサーバ装置１００に搭載された各種デバイスの管理情報を取得する（ステップＳ２０４、ステップＳ２０３でＮＯ）。ＢＭＣ１１１は、管理情報のドライバ情報にドライバのバージョン情報が格納されているかを判定する（ステップＳ２０５）。ＢＭＣ１１１は、管理情報のＨＤＤのステータス情報に全てのＨＤＤが使用可能であることを示す情報が格納されているかを判定する（ステップＳ２０６、ステップＳ２０５でＹＥＳ）。ＢＭＣ１１１は、ステップＳ２０５でＮＯ又はステップＳ２０６でＮＯの場合、処理をＳ２０３から繰り返す。ＢＭＣ１１１は、ＯＳ１２１が起動していると判定した場合、ＢｏｏｔＷａｔｃｈｄｏｇを停止する（ステップＳ２０７、ステップＳ２０６でＹＥＳ）。ＢＭＣ１１１は、ステップＳ２０７の処理が終了すると、ＯＳの起動監視の処理を終了する。ＢＭＣ１１１は、ＢｏｏｔＷａｔｃｈｄｏｇ起動後、所定の時間が経過してもＯＳの起動が完了しない場合に、サーバ装置を再起動又はサーバ装置の停止などの処理を行う（ステップＳ２０８、ステップＳ２０３でＹＥＳ）。ＢＭＣ１１１は、ステップＳ２０８の処理が終了すると、ＯＳの起動監視の処理を終了する。なお、ステップＳ２０５とステップＳ２０６は、逆に処理されてもよい。
【００２８】
図８は、第３の実施形態に係るサーバ装置のＯＳの起動監視の処理を説明するフローチャートである。サーバ装置の電源が投入される（ステップＳ３０１）。ＢＭＣ１１１は、ＢＩＯＳ１２２よりＢｏｏｔＷａｔｃｈｄｏｇの起動指示を受信し、ＢｏｏｔＷａｔｃｈｄｏｇを起動する（ステップＳ３０２）。ＢＭＣ１１１は、ＢｏｏｔＷａｔｃｈｄｏｇ起動後、所定の時間が経過しているかを判定する（ステップＳ３０３）。ＢＭＣ１１１は、所定の時間が経過していない場合、ＬＡＮコントローラ３０２からサーバ装置１００に搭載された各種デバイスの管理情報を取得する（ステップＳ３０４、ステップＳ３０３でＮＯ）。ＢＭＣ１１１は、管理情報のＬＡＮドライバの状態情報にＬＡＮドライバがロードされている状態を示す情報が格納されているかを判定する（ステップＳ３０５）。ＢＭＣ１１１は、管理情報のＬｉｎｋステータス情報にＬｉｎｋアップを示す情報が格納されているかを判定する（ステップＳ３０６、ステップＳ３０５でＹＥＳ）。ＢＭＣ１１１は、ステップＳ３０５でＮＯ又はステップＳ３０６でＮＯの場合、処理をＳ３０３から繰り返す。ＢＭＣ１１１は、ＯＳ１２１が起動していると判定した場合、ＢｏｏｔＷａｔｃｈｄｏｇを停止する（ステップＳ３０７、ステップＳ３０６でＹＥＳ）。ＢＭＣ１１１は、ステップＳ３０７の処理が終了すると、ＯＳの起動監視の処理を終了する。ＢＭＣ１１１は、ＢｏｏｔＷａｔｃｈｄｏｇ起動後、所定の時間が経過してもＯＳの起動が完了しない場合に、サーバ装置を再起動又はサーバ装置の停止などの処理を行う（ステップＳ３０８、ステップＳ３０３でＹＥＳ）。ＢＭＣ１１１は、ステップＳ３０８の処理が終了すると、ＯＳの起動監視の処理を終了する。なお、ステップＳ３０５とステップＳ３０６は、逆に処理されてもよい。
【００２９】
図９は、第４の実施形態に係るサーバ装置のＯＳの起動監視の処理を説明するフローチャートである。サーバ装置の電源が投入される（ステップＳ４０１）。ＢＭＣ１１１は、ＢＩＯＳ１２２よりＢｏｏｔＷａｔｃｈｄｏｇの起動指示を受信し、ＢｏｏｔＷａｔｃｈｄｏｇを起動する（ステップＳ４０２）。ＢＭＣ１１１は、ＢｏｏｔＷａｔｃｈｄｏｇ起動後、所定の時間が経過しているかを判定する（ステップＳ４０３）。ＢＭＣ１１１は、所定の時間が経過していない場合、ＬＡＮコントローラ３０２からサーバ装置１００に搭載された各種デバイスの管理情報を取得する（ステップＳ４０４、ステップＳ４０３でＮＯ）。ＢＭＣ１１１は、管理情報のＬＡＮドライバの状態情報にＬＡＮドライバがロードされている状態を示す情報が格納されているかを判定する（ステップＳ４０５）。ＢＭＣ１１１は、管理情報のＬｉｎｋステータス情報にＬｉｎｋアップを示す情報が格納されているかを判定する（ステップＳ４０６、ステップＳ４０５でＹＥＳ）。ＢＭＣ１１１は、ステップＳ４０５でＮＯ又はステップＳ４０６でＮＯの場合、処理をＳ４０３から繰り返す。
【００３０】
ＢＭＣ１１１は、ＲＡＩＤコントローラ２０２からサーバ装置１００に搭載された各種デバイスの管理情報を取得する（ステップＳ４０７、ステップＳ４０６でＹＥＳ）。ＢＭＣ１１１は、管理情報のドライバ情報にドライバのバージョン情報が格納されているかを判定する（ステップＳ４０８）。ＢＭＣ１１１は、管理情報のＨＤＤのステータス情報に全てのＨＤＤが使用可能であることを示す情報が格納されているかを判定する（ステップＳ４０９、ステップＳ４０８でＹＥＳ）。ＢＭＣ１１１は、ステップＳ４０８でＮＯ又はステップＳ４０９でＮＯの場合、処理をＳ４０３から繰り返す。ＢＭＣ１１１は、ＯＳ１２１が起動していると判定した場合、ＢｏｏｔＷａｔｃｈｄｏｇを停止する（ステップＳ４１０、ステップＳ４０９でＹＥＳ）。ＢＭＣ１１１は、ステップＳ４１０の処理が終了すると、ＯＳの起動監視の処理を終了する。ＢＭＣ１１１は、ＢｏｏｔＷａｔｃｈｄｏｇ起動後、所定の時間が経過してもＯＳの起動が完了しない場合に、サーバ装置を再起動又はサーバ装置の停止などの処理を行う（ステップＳ４１１、ステップＳ４０３でＹＥＳ）。ＢＭＣ１１１は、ステップＳ４１１の処理が終了すると、ＯＳの起動監視の処理を終了する。なお、ステップＳ４０４〜Ｓ４０６と、ステップＳ４０７〜Ｓ４０９は、逆の順番で処理されてもよい。ステップＳ４０５とステップＳ４０６は、逆の順番で処理されてもよい。また、ステップＳ４０８とステップＳ４０９は、逆の順番で処理されてもよい。
【００３１】
以上、説明したように、実施形態にかかる方法では、エージェントを用いずに、ＯＳの起動監視をすることができる。また、ＬＡＮドライバ、ＲＡＩＤドライバなどの各種デバイスの管理情報を用いて、Ｉ２Ｃインターフェース経由で取得することで、ＯＳの種類に関係なく、情報を取得でき、ＢＭＣは、ＯＳの起動監視をすることができる。
【符号の説明】
【００３２】
１００  サーバ装置
１１１  ＢＭＣ
１１２  ＰＣＩコントローラ
１２０  ＣＰＵ／メモリ
１２１  ＯＳ
１２２  ＢＩＯＳ
１３１  Ｉ／Ｏドライバ
２０１  ＲＡＩＤドライバ
２０２  ＲＡＩＤコントローラ
３０１  ＬＡＮドライバ
３０２  ＬＡＮコントローラ
【図１】
2015122030.tif 000003
【図２】
2015122030.tif 000004
【図３】
2015122030.tif 000005
【図４】
2015122030.tif 000006
【図５】
2015122030.tif 000007
【図６】
2015122030.tif 000008
【図７】
2015122030.tif 000009
【図８】
2015122030.tif 000010
【図９】
2015122030.tif 000011